(57)【特許請求の範囲】
【請求項１】
遊技盤の遊技領域に、電飾装置Ｄ1 を組み込んだ図柄表示装置Ａが設置された遊技機において、
前記電飾装置Ｄ1 は、
前記図柄表示装置Ａの台板１１の前板部１１ａの後側に垂直状に取着されて、左右横方向に多数個の発光体Ｌを前向き突出状態にして配置した基板１と、
前記基板１の前側に左右横方向に取着されて前記各発光体Ｌを前側から覆うほぼ半円筒形の遮光部材Ｂと、
前記遮光部材Ｂの半円筒形部分の周方向のほぼ中央部に当該遮光部材Ｂの左右軸長方向に配置されて、前記各発光体Ｌから照射される光を前向きに透過させるための凹レンズ３で構成された光透過部２と、
前記遮光部材Ｂの半円筒形部分の前側に配置された状態で、当該半円筒形部分の周方向に沿って往復回動可能に支持された多色状のフィルター部材Ｆ1 と、
前記台板１１の前板部１１ａの後側に設置されて、前記フィルター部材Ｆ1 に対して歯車８，９を介して連繋された正逆転切換え制御されるモータＭと、
前記台板１１の前板部１１ａの前側に設置されて前記フィルターＦ1 を前側から覆うレンズ部材１３と、を備えており、
前記フィルター部材Ｆ1 は、透明樹脂により前記遮光部材Ｂの半円筒形部分の軸長より長く、かつ断面ほぼ四分円弧形状に形成された本体部５の前外周面に、異なる多色面を往復円弧回動方向に沿って区分して軸長方向に沿って帯状に着色した着色フィルム４が貼り付けられており、
前記モータＭの正逆転切換え制御により、前記フィルター部材Ｆ1 は、前記着色フィルム４の円弧方向に沿った両端縁が前記遮光部材Ｂの光透過部２の前側に位置する角度範囲内に亘り往復回動可能に設定されていることを特徴とする電飾装置を備えた遊技機。
【発明の詳細な説明】
【０００１】
【発明の属する技術分野】
本発明は、発光色、或いは発光状態を変化させて光演出効果を高めた電飾装置を備えた遊技機に関するものである。
【０００２】
【従来の技術】
従来のパチンコ機において、ランプを光源とした電飾においては、単色発光しかできなかった。また、ランプに替えて、フルカラーＬＥＤを使用すれば、多色発光が可能であるが、現状では、コストが嵩むと共に、高い電飾効果を得るには多色のＬＥＤを使用する必要がある（例えば、２色のＬＥＤの使用では、その発光色は３色に限られて、高い電飾効果が得られない）という問題があった。
【０００３】
また、ランプを光源とした単色発光電飾において、その発光状態の変化により電飾効果を高めるための一手段として、ランプの点灯、或いは点滅を行っているが、これでは、発光状態の変化が乏しいために、その電飾効果は、余り高まらない。なお、ランプに加わる電圧、或いは電流を変化させれば、その照度が変化させられて、電飾効果は高まるが、そのための専用の電気回路が必要となる。
【０００４】
【発明が解決しようとする課題】
本発明の課題は、単一色の光源を用いて、その発光色、或いは発光状態を広範囲で変化可能にして、遊技盤上における光演出効果を高めることである。
【０００５】
【課題を解決するための手段】
上記課題を解決するための請求項１の発明は、遊技盤の遊技領域に、電飾装置を組み込んだ図柄表示装置が設置された遊技機において、前記電飾装置は、前記図柄表示装置の台板の前板部の後側に垂直状に取着されて、左右横方向に多数個の発光体を前向き突出状態にして配置した基板と、前記基板の前側に左右横方向に取着されて前記各発光体を前側から覆うほぼ半円筒形の遮光部材と、前記遮光部材の半円筒形部分の周方向のほぼ中央部に当該遮光部材の左右軸長方向に配置されて、前記各発光体から照射される光を前向きに透過させるための凹レンズで構成された光透過部と、前記遮光部材の半円筒形部分の前側に配置された状態で、当該半円筒形部分の周方向に沿って往復回動可能に支持された多色状のフィルター部材と、前記台板の前板部の後側に設置されて、前記フィルター部材に対して歯車を介して連繋された正逆転切換え制御されるモータと、前記台板の前板部の前側に設置されて前記フィルターを前側から覆うレンズ部材とを備えており、前記フィルター部材は、透明樹脂により前記遮光部材の半円筒形部分の軸長より長く、かつ断面ほぼ四分円弧形状に形成された本体部の前外周面に、異なる多色面を往復円弧回動方向に沿って区分して軸長方向に沿って帯状に着色した着色フィルムが貼り付けられており、前記モータの正逆転切換え制御により、前記フィルター部材は、前記着色フィルムの円弧方向に沿った両端縁が前記遮光部材の光透過部の前側に位置する角度範囲内に亘り往復回動可能に設定されていることを特徴としている。
【０００６】
請求項１の発明によれば、遮光部材の光透過部の前面に、自身の往復円弧移動方向に沿って異なる複数色が帯状に着色されたフィルター部材が移動可能となって配置されているために、発光体からの光は、遮光部材の光透過部を通過して拡散された後に、更にフィルター部材を通過して、遊技者に認識される。そして、フィルター部材は、歯車を介して連繋されて正逆転切換え制御されるモータによって、遮光部材の光透過部の前面を往復円弧移動する構成であり、しかも、その往復円弧移動方向に沿って異なる複数色が着色されているために、フィルター部材の往復円弧移動によって、発光体からの光は、その色彩が順次変化して遊技者に認識されて、遊技盤上における光演出効果（電飾効果）が高められる。
【０００７】
【０００８】
【０００９】
【００１０】
【発明の実施の形態】
最初に、請求項１，２の発明について説明する。図１は、請求項１の発明に係るパチンコ機Ｐの正面図であり、図２は、図１の図柄表示装置（センター役物）Ａの部分の拡大図であり、図３は、図柄表示装置Ａに組み込まれた電飾装置Ｄ1 の側面断面図であり、図４は、同じく異なる状態における側面断面図であり、図５は、電飾装置Ｄ1 の模式的平面図であり、図６は、第１フィルター部材Ｆ1 の斜視図である。図１において、パチンコ機Ｐの遊技盤３１の遊技領域の中央部には、液晶表示による図柄表示装置Ａが配設され、該表示装置Ａの直下には、始動チャッカー３２が配設され、更に、該始動チャッカー３２の直下には、アタッカー装置３３が配設されている。また、図柄表示装置Ａの下端部の両側方、及びその上端隅部の斜上方には、それぞれ一般入賞口３４が配設され、前記図柄表示装置Ａの下端部と、その側方に配設された前記一般入賞口３４との間には、それぞれ風車３５が配設されている。そして、前記図柄表示装置Ａの直上部には、当該部分を電飾するための電飾装置Ｄ1 が組み込まれている。
【００１１】
引き続いて、図２ないし図６を参照にして、図柄表示装置Ａの直上に組み込まれている前記電飾装置Ｄ1 について説明する。この電飾装置Ｄ1 は、垂直に配置した基板１の前面に横方向に沿って一定間隔をおいて配置された多数個のランプＬと、この多数個のランプＬの対向する部分にストリップ状の光透過部２が水平に設けられて、前記多数個のランプＬからの光を遮光すべく、その周囲に固定配置される半円筒状をした遮光部材Ｂと、該遮光部材Ｂの光透過部２の前面を覆うようにして、その周方向に沿って往復円弧運動が可能なように配置された第１フィルター部材Ｆ1 と、該第１フィルター部材Ｆ1 を往復円弧運動させるためのステッピングモータＭとを備えている。
【００１２】
また、遮光部材Ｂは、半円筒体の両側の開口が閉塞された形状であって、前記基板１の前面に取付けられて、多数のランプＬの周囲を覆っている。この遮光部材Ｂは、配置状態において、その最前部に水平に設けられたスリット状の孔に、透過光を拡散させるための凹レンズ３が嵌め込まれて、前記光透過部２を構成しており、多数のランプＬからの光が前記光透過部２のみを透過可能にして、その他の部分から透過するのを防止する部材である。
【００１３】
また、前記遮光部材Ｂの前面には、四分円弧状の横断面を有する第１フィルター部材Ｆ1 が、前記遮光部材Ｂの外周面に沿って往復円弧運動し得るようにして、配置されている。この第１フィルター部材Ｆ1 は、透明樹脂で成形されて、その本体部５の外周面には、図６に示されるように、往復円弧運動を行う方向に沿って、虹を構成する青、緑、黄、橙、赤、ピンクの６色を、この順序でもって帯状に着色した着色フィルム４が貼り付けられている。第１フィルター部材Ｆ1 に対する着色方法は、上記色彩でもって透明樹脂で成形された部材に直接に着色してもよいし、それ自体を透明性を有する樹脂で多色成形してもよい。
【００１４】
また、図５及び図６に示されるように、第１フィルター部材Ｆ1 の本体部５の長手方向の両端には、四分円状をした側板部６がそれぞれ設けられて、各側板部６の外側に設けられた各支持軸部７の部分が、後述の台板１１に回動可能に支持され、この支持状態では、その本体部５及び側板部６は、いずれも前記遮光部材Ｂの外側を覆っている。また、図３及び図５に示されるように、前記基板１の背面側には、ステッピングモータＭが配置され、その駆動軸に取付けられた歯車８と、前記第１フィルター部材Ｆ1 の一方の支持軸部７に取付けられた歯車９とが噛合されている。そして、前記ステッピングモータＭの正逆回転によって、前記第１フィルター部材Ｆ1 は、常に遮光部材Ｂの光透過部２を覆った状態となって、回動角度がほぼ８０°の範囲において、往復円弧運動を行うために、遮光部材Ｂの光透過部２を通過した多数のランプＬからの光は、第１フィルター部材Ｆ1 の異なる着色部を順次透過して、当該着色部の色彩に着色されて、後述のレンズ部材１３の裏面に照射される。
【００１５】
また、図３に示されるように、遮光部材Ｂの前部と、該部分の外側を覆っている第１フィルター部材Ｆ1 とは、台板１１の前板部１１ａに設けられた開口１２に入り込んでいて、該開口１２は、拡散剤入りの透明樹脂で成形された断面コの字形をしたレンズ部材１３で覆われており、前記第１フィルター部材Ｆ1 を透過したランプＬの光は、前記レンズ部材１３の裏面を照射する。
【００１６】
そして、遊技中において、全てのランプＬを点灯した状態で、ステッピングモータＭを規則的に正逆回転させると、遮光部材Ｂの光透過部２の前面を覆っている第１フィルター部材Ｆ1 は、該遮光部材Ｂの外周に沿って往復円弧運動を行う。このため、光透過部２を透過することにより、拡散された各ランプＬからの光は、往復円弧運動中の第１フィルター部材Ｆ1 の各着色部を透過して、レンズ部材１３の内側に照射される。よって、各ランプＬの発光色は、第１フィルター部材Ｆ1 の各着色部によって、虹を構成する各色彩の順番でもって順次変化して、遊技者に認識されるために、光演出効果が高められる。
【００１７】
また、ステッピングモータＭの回転を遊技状態の変化と連動させると、この遊技状態の変化を色彩で表現することも可能となる。例えば、通常時においては、ランプＬの発光色を青、緑等の寒色系にしておくと共に、リーチ時においては、第１フィルター部材Ｆ1 の回動により寒色系の色彩から橙、赤、ピンク等の暖色系の色彩に徐々に変化させると、色彩の変化によって、遊技状態の変化を表現できる。更に、リーチ、大当り等の遊技者に対して期待感を抱かせる予告表現として、一見通常時に見える状態において、第１フィルター部材Ｆ1 の回動によって、ランプＬの発光色を上記暖色系に先に変化させることをもって、予告とすることも可能である。
【００１８】
次に、請求項３ないし５の発明について説明する。上記した請求項１，２の発明は、遮光部材Ｂの光透過部２の前面に、移動方向に沿って異なる複数色に着色された第１フィルター部材Ｆ1 を移動可能に配置して、ランプＬからの光を前記第１フィルター部材Ｆ1 を透過させることにより、ランプＬの発光色とは異なる複数の色彩に変化させるものであるが、請求項３ないし５の発明は、ランプＬの発光色は、そのままにして、その発光状態を変化させることにより、光演出効果を高めようとするものである。
【００１９】
そして、これを実現するために、遮光部材Ｂの光透過部２に対しては、前記第１フィルター部材Ｆ1 と同一の移動を行う第２フィルター部材Ｆ21，Ｆ22を使用するのである。図７は、遮光部材Ｂの光透過部２の前面に第２フィルター部材Ｆ21を円弧運動可能に配置した電飾装置Ｄ2 の側面断面図であり、図８は、第２フィルター部材Ｆ21の斜視図であり、図９（イ）〜（ニ）は、第２フィルター部材Ｆ21の作用説明図である。なお、上記した各部分と同一部分には、同一符号を付し、重複説明を避けて、異なる部分についてのみ説明する。図７及び図８において、遮光部材Ｂの光透過部２の前面には、ステッピングモータＭと歯車８，９とによって、第２フィルター部材Ｆ21がほぼ８０°の回動角度の範囲で往復円弧運動し得るように配置されて、前記光透過部２の前面は、第２フィルター部材Ｆ21により常に覆われている。
【００２０】
また、第２フィルター部材Ｆ21は、図８に示されるように、その本体部５’の周方向に沿った一方側が、長手方向に沿って階段状に欠落されて、その周方向の長さの異なる５つの部分から構成されている。よって、遊技中において、ステッピングモータＭにより第２フィルター部材Ｆ21を一方向に回動させると、図９（イ）〜（ニ）に示されるように、多数のランプＬの一部が第２フィルター部材Ｆ21の本体部５’の階段状部分５'aによって順次覆われるために、全てのランプＬが点灯しているにもかかわらず、恰も多数のランプＬを順次消灯させるように、光の発光状態を変化させられる。逆に、全てのランプＬが第２フィルター部材Ｆ21の本体部５’で覆われている状態において、第２フィルター部材Ｆ21を上記と逆方向に回動させると、全てのランプＬが消灯している状態から、順次点灯されるような発光状態を演出できる。
【００２１】
また、図１０及び図１１に示される第２フィルター部材Ｆ22は、その本体部５の外周面に多数本のＶカット溝２１が長手方向に沿って施されていて、多数本のＶカット溝２１のピッチは、周方向に沿って大きく変化している。即ち、本体部５の周方向の一端部では、Ｖカット溝２１のピッチが大きいのに対して、その他端部では、Ｖカット溝２１のピッチは小さくなっている。このため、遮光部材Ｂの光透過部２を透過したランプＬの光は、第２フィルター部材Ｆ22のＶカット溝２１の部分で更に拡散されて、レンズ部材１３の裏面に照射される。そして、Ｖカット溝２１のピッチが大きい部分は、これが小さい部分に比較して、透過光の拡散度は小さくなる。従って、遊技中において、第２フィルター部材Ｆ22を往復円弧運動させると、図１２（イ）〜（ニ）に示されるように、多数のランプＬの配置に近い「点発光」から、隣接する各ランプＬからの光が大きく拡散されて、相互に重なりあった「面発光」に移行して、多数のランプＬを点灯したままで、その発光状態を大きく変化させられて、遊技盤上における光演出効果が高められる。
【００２２】
また、更に別の第２フィルター部材として、その透明の本体部の外周面に、該本体部の周方向に沿った光透過量を変化させるために、施す色彩の濃度を同方向に沿って徐々に変化させた透明シールを貼り付けた構成のものでもよい。更に、周方向に沿って偏光効果、或いはプリズム効果が徐々に変化した偏光板、或いはプリズム板により、第２フィルター部材を構成することも可能である。
【００２３】
更に、請求項６の発明は、前記第１フィルター部材Ｆ1 の外側に、第２フィルター部材Ｆ21（Ｆ22) を配置して、それぞれ独立して往復円弧運動等させる構成であって、第１フィルター部材Ｆ1 による光の色彩の変化と、第２フィルター部材Ｆ21（Ｆ22) による光の発光状態の変化とが相乗して、ランプＬからの光の変化が一層複雑となって、上記よりも更に高い光演出効果が期待できる。
【００２４】
なお、上記した第１フィルター部材Ｆ1 及び第２フィルター部材Ｆ21, Ｆ22は、いずれも往復円弧運動を行う構成であって、配置スペースの点で制約の多いパチンコ機において、小さなスペースに配置できる利点があるが、第１及び第２の各フィルター部材は、往復直線運動させることも可能である。また、上記各実施例は、配置スペースに余裕を有する図柄表示装置（センター役物）に対して本発明に係る電飾装置を組み込んだ例であるが、配置スペースに余裕を有する部位であれば、組込み可能な部位は、センター役物に限られず、パチンコ機の他の部位（例えば、サイドランプ）に組み込むことも可能である。更に、上記実施例は、本発明をパチンコ機に実施した例であるが、電飾を必要とする遊技機であれば、スロットマシン等の他の遊技機に対しても本発明は実施可能である。
【００２５】
【発明の効果】
このように、本発明によれば、異なる多色面を往復円弧回動方向に沿って区分して軸長方向に沿って帯状に着色した着色フィルムが外周面に貼り付けられたフィルター部材を、横方向に配置された多数の発光体を前側から覆っている遮光部材の前側に往復円弧移動を行うように配置させることにより、単一色の発光体からの光を、往復円弧移動を行うフィルター部材を透過させているために、その発光色、或いは発光状態を広範囲に亘って変化させることができて、単一色の発光体を用いているにもかかわらず、光演出効果を高めることができる。
【図面の簡単な説明】
【図１】  請求項１の発明に係るパチンコ機Ｐの正面図である。
【図２】  図１の図柄表示装置（センター役物）Ａの部分の拡大図である。
【図３】  図柄表示装置Ａに組み込まれた電飾装置Ｄ1 の側面断面図である。
【図４】  同じく異なる状態における側面断面図である。
【図５】  電飾装置Ｄ1 の模式的平面図である。
【図６】  第１フィルター部材Ｆ1 の斜視図である。
【図７】  電飾装置Ｄ2 の側面断面図である。
【図８】  第２フィルター部材Ｆ21の斜視図である。
【図９】  （イ）〜（ニ）は、第２フィルター部材Ｆ21によって多数のランプＬが順次覆われる状態を示す作用説明図である。
【図１０】  第２フィルター部材Ｆ22の斜視図である。
【図１１】  同じく横断面図である。
【図１２】  （イ）〜（ニ）は、点発光から面発光に変化する状態を示す図である。
【符号の説明】
Ｂ：遮光部材
Ｄ1 ，Ｄ2 ：電飾装置
Ｆ1 ：第１フィルター部材
Ｆ21，Ｆ22：第２フィルター部材
Ｌ：ランプ（発光体）
Ｍ：ステッピングモータ（駆動手段）
２：遮光部材の光透過部
８，９：歯車（駆動手段）
【図１】
0004235962.tif 000002
【図２】
0004235962.tif 000003
【図３】
0004235962.tif 000004
【図４】
0004235962.tif 000005
【図５】
0004235962.tif 000006
【図６】
0004235962.tif 000007
【図７】
0004235962.tif 000008
【図８】
0004235962.tif 000009
【図９】
0004235962.tif 000010
【図１０】
0004235962.tif 000011
【図１１】
0004235962.tif 000012
【図１２】
0004235962.tif 000013